(57)【特許請求の範囲】
【請求項１】
浴槽の一方の短辺部が建物の外壁に沿いそれに近い位置にあり、浴槽の長辺部に隣接して洗い場があり、上記の短辺部から洗い場にわたって建物の外壁に出窓が形成され、この出窓のカウンターパネルが出窓側の建物基礎の上方に配設され、上記の短辺部の延長線上にカウンターパネルのカウンター面が配置されている出窓付き浴室であって、上記浴槽の出窓側の一方の短辺部のみに腰掛け用のベンチ部が短辺部の幅方向にわたって浴槽内に凹まれて形成され、上記のカウンターパネルで浴槽の上記の短辺部と対応する位置に、浴槽のベンチ部と係合する凹段差部が形成され、この凹段差部の垂直壁に給湯追い焚き用配管の接続部が設けられ、また洗い場と対応するカウンターパネルの浴室内位置に、上記の凹段差部から連ねられてエプロンが形成され、上記の浴槽が、上記カウンターパネルの凹段差部に、ベンチ部を、凹段差部との間にスペースを有する状態で係合させて配設され、この浴槽の循環金具に、上記の給湯追い焚き用配管が上記の接続部を介して接続されていることを特徴とする出窓付き浴室。
【請求項２】
カウンターパネルの上面に加わる荷重を支承するための高さ調節自在の支承部材が、カウンターパネルの下面と建物基礎との間に配設されたことを特徴とする請求項１記載の出窓付き浴室。
【請求項３】
カウンターパネルの外面を覆うスカート部材を備え、このスカート部材がカウンターパネルから出窓側の建物基礎にわたされて配設され、このスカート部材の内面側に断熱材が設けられたことを特徴とする請求項１又は２記載の出窓付き浴室。
【請求項４】
請求項１乃至３の何れかに記載の出窓付き浴室に用いるカウンターパネルであって、浴槽の出窓側の一方の短辺部と対応する位置に、浴槽のベンチ部と係合する凹段差部が形成され、この凹段差部の垂直壁に給湯追い焚き用配管の接続部が設けられ、また洗い場と対応する浴室内位置に、上記の凹段差部から連ねられてエプロンが形成されたことを特徴とするカウンターパネル。
【請求項５】
洗い場に対応する側のカウンターパネルの上面位置が洗い場に向かって延長され、この延長部に洗面器を載置するための載置部が延長部より一段低く形成されたことを特徴とする請求項４記載のカウンターパネル。
【請求項６】
エプロンに、蹴込み用の凹部が洗い場側に凹み面を向けて形成されたことを特徴とする請求項４又は５記載のカウンターパネル。
【請求項７】
カウンターパネルの窓側の外辺部が立ち上げられ、この外辺部に給湯器類を制御する操作部が設けられたことを特徴とする請求項４、５又は６記載のカウンターパネル。
【発明の詳細な説明】
【０００１】
【発明の属する技術分野】
本発明は、建築物内に設ける出窓付き浴室に関し、更に詳しくは出窓付き浴室並びにこの浴室に用いるカウンターパネルに関する。
【０００２】
【従来の技術】
従来この種の浴室としては、例えば浴槽の短辺部の側に、この短辺部から洗い場にわたって出窓が形成され、この出窓のカウンターパネルが出窓側の建物基礎の上方に配設されたものがある（例えば特開平８ー６６３２８号公報参照）。
【０００３】
【発明が解決しようとする課題】
ところでこの種の出窓付き浴室は、浴室のスペースを広げて快適に入浴できることを目的とするため、浴室のメイン設備である浴槽は、出窓側の建物基礎を越えて（但し、建物基礎を壊すと、工事費が増え工事期間が長くかかるため、建物基礎を壊さないことを前提に）、できるだけ長く大きなものを設置できるよう形成されているのが望ましい。
【０００４】
しかるに従来品は、出窓側の建物基礎の上方に、浴槽の短辺部から洗い場にわたって、奥行きが同じ幅の平板状のカウンターパネル（カウンター部）を単に配設したものであったから、この従来品によると、浴槽は出窓側の建物基礎の範囲内に納まる大きさのものに限定され、建物基礎を壊さなければこの基礎を越えた長さの浴槽を設置できない、という問題点があった。
【０００５】
又この種の浴室は、通常の浴室に比べ、部品数が増える分、施工に手間暇がかかるのを避けられないため、工事を簡単且つ迅速にできるよう、形成されているのが望ましい。又上記の従来例にも見られるように、この種の浴室は出窓のカウンター部に水栓が取り付けられることが多いため、出窓回りの防水性を低下させることがないよう、形成されているのが望ましい。
【０００６】
しかるに従来のこの種の浴室は、平板状のカウンターパネル及びエプロンパネル等の独立した複数の部品を組み合わせて施工するものであったから、従来はこの種浴室の施工に多大な手間暇がかかり、又出窓回りの防水性が低下するのを避けられなかった。
【０００７】
本発明は、このような従来の問題点を解消しようとするものである。
従って本発明の技術的課題は、浴槽の短辺部の側に、この短辺部から洗い場にわたって出窓が形成された出窓付き浴室において、出窓側の建物基礎を壊すことなく、この建物基礎を越えた、長い大きな浴槽を設置できるよう形成した出窓付き浴室を提供することにある。
【０００８】
又本発明の他の課題は、設置工事を簡単且つ迅速にでき、又出窓回りの防水性能を低下させることがないよう形成した出窓付き浴室を提供することにある。
【０００９】
又本発明の更に他の技術的課題は、出窓側の建物基礎を壊すことなく、できるだけ長く大きな浴槽の設置を可能にし、又簡単且つ迅速に浴室を施工でき、更には出窓回りの防水性を高く確保できるカウンターパネルを提供することにある。
【００１０】
【課題を解決するための手段】
本発明は、上記の課題を解決するために次のような技術的手段を採る。
【００１１】
即ち本発明は、図１等に示されるように、浴槽１の一方の短辺部１ａが建物の外壁に沿いそれに近い位置にあり、浴槽１の長辺部に隣接して洗い場３があり、上記の短辺部１ａから洗い場３にわたって建物の外壁に出窓２が形成され、この出窓２のカウンターパネル４が出窓２側の建物基礎５の上方に配設され、上記の短辺部１ａの延長線上にカウンターパネル４のカウンター面が配置されている出窓付き浴室であって、上記浴槽１の出窓２側の一方の短辺部１ａのみに腰掛け用のベンチ部１ｂが短辺部１ａの幅方向にわたって浴槽１内に凹まれて形成され、上記のカウンターパネル４で浴槽１の上記の短辺部１ａと対応する位置に、浴槽１のベンチ部１ｂと係合する凹段差部４ａが形成され、この凹段差部４ａの垂直壁に給湯追い焚き用配管１９の接続部２０が設けられ、また洗い場３と対応するカウンターパネル４の浴室内位置に、上記の凹段差部４ａから連ねられてエプロン４ｂが形成され、上記の浴槽１が、上記カウンターパネル４の凹段差部４ａに、ベンチ部１ｂを、凹段差部４ａとの間にスペースを有する状態で係合させて配設され、この浴槽１の循環金具１ｃに、上記の給湯追い焚き用配管１９が上記の接続部２０を介して接続されていることを特徴とする（請求項１）。
【００１２】
この本発明浴室の場合は、カウンターパネル４が従来品のように、単に平板状に形成されているものではなく、浴槽１のベンチ部１ｂと係合する凹段差部４ａとエプロン４ｂとを備えて形成されている。
従ってこれによれば、長い大きな浴槽の設置が可能になるだけではなく、出窓２の施工にかかる手間暇を、従来品に比べはるかに軽減でき、又出窓２回りの防水性を低下させることがない、という利点がある。
【００１３】
ここで浴槽１のベンチ部１ｂと係合する凹段差部４ａとは、浴槽１のベンチ部１ｂの外形状に対応し、このベンチ部１ｂの外形に合った段差形状の箇所、ということを意味する。
【００１４】
又本発明浴室の場合は、図２、図３に示されるように、カウンターパネル４の上面に加わる荷重を支承するための高さ調節自在の支承部材９が、カウンターパネル４の下面と、建物基礎５との間に配設されるのが好ましい（請求項２）。
【００１５】
この本発明の場合は、カウンターパネル４の高さと建物基礎５の上面との間隔が現場で種々異なる場合でも、支承部材９によってカウンターパネル４を安定した姿勢に、簡単且つ迅速に固定できる。なお支承部材９は、本発明では建物基礎５の上面に直接設けられる場合には限られず、図示されるように、大引６を介してカウンターパネル４の下面と建物基礎５との間に配設されるのでも良い。支承部材９としては、図３に示されるように、断面ハット形の鋼材９ａ、ナット９ｂ、ボルト状の支柱９ｃを備え、支承高さを自由に調節できるよう形成した、いわゆるアジャスターボルトがある。
【００１６】
又本発明浴室の場合は、図５に示されるように、カウンターパネル４の外面を覆うスカート部材１２を備え、このスカート部材１２がカウンターパネル４から出窓２の側の建物基礎５にわたされて配設され、このスカート部材１２の内面側に断熱材１３が設けられると良い（請求項３）。
【００１７】
この場合は、カウンターパネル４の外面の体裁が良くなり、断熱材１３によりスカート部材１２が外壁として機能し、外気温の影響を防止でき、浴室内を保温できる、という効果がある。なおスカート部材１２は、建物基礎５の上面に大引６が設けられている場合はこの大引６を介して建物基礎５にわたされて配設されるので良い。断熱材１３としては、発泡スチロール、ロックウール、フェルト等があり、これらを適宜重合して形成すると良い。
なお本発明浴室は、図５、図６に示されるように、カウンターパネル４の奥側に、石鹸等の収納、載置用の棚２１やミラー２２が設けられるのでも良く、パネル４の奥側の全体が窓で形成される場合には限られない。
【００１８】
又本発明のカウンターパネル４としては、浴槽１の出窓２側の一方の短辺部１ａと対応する位置に、浴槽１のベンチ部１ｂと係合する凹段差部４ａが形成され、この凹段差部４ａの垂直壁に給湯追い焚き用配管１９の接続部２０が設けられ、また洗い場３と対応する浴室内位置に、上記の凹段差部４ａから連ねられてエプロン４ｂが形成されてなるものがある（請求項４）。
【００１９】
この本発明の場合は、カウンターパネル４の凹段差部４ａが浴槽１の防水パンの機能を持つことになる。従ってこれによれば、洗い場３としての床パンを出窓付き浴室と、出窓なし浴室の何れにも使用することが可能となり、例えば出窓なし浴室の洗い場３に、このカウンターパネル４を追加するだけで出窓付き浴室（出窓付き浴室の床部分）を形成でき、部品数も少なく、施工も簡単且つ迅速にできる。
【００２０】
又この場合本発明のカウンターパネル４は、図７、図８等に示されるように、洗い場３に対応する側のカウンターパネル４の上面位置が洗い場３に向かって延長され、この延長部４ｃに洗面器１４を載置するための載置部１５が延長部４ｃより一段低く形成されると良い（請求項５）。
【００２１】
このように本発明カウンターパネル４が形成されるときは、カウンターパネル４の上面に配設する水栓１６の吐水口と載置部１５との間隔に余裕ができるから、水栓１６からの湯水を洗面器１４で受け易くなる。又これによれば、浴室用の椅子に腰掛けた姿勢で洗面等を行なう場合、洗面器１４を洗い場３の床面より高い位置に配置できるから、洗い場３に直接置く場合より洗面等を容易にできる。
【００２２】
又本発明カウンターパネル４は、図５、図９に示されるように、エプロン４ｂに、蹴込み用の凹部１７が洗い場３の側に凹み面を向けて形成されると良い（請求項６）。
【００２３】
この場合は、エプロン４ｂが垂直に形成される場合に比べ、足のつま先や膝を深く配置でき、出窓２の側に入浴者を座らすことができる。従ってこれによれば、その分、洗い場３を広く使用でき、又カウンターパネル４の上面に配設される水栓１６等の操作を容易にできる。
【００２４】
更に本発明カウンターパネル４は、図９、図１０に示されるように、カウンターパネル４の窓側の外辺部４ｄが立ち上げられ、この外辺部４ｄに給湯器１０類を制御する操作部１８が設けられると良い（請求項７）。
【００２５】
この場合は、カウンターパネル４の回りに、操作部１８の設置スペースを確保でき、又例えば浴槽１の近くの外辺部４ｄに操作部１８が設けられると、ベンチ部１ｂに腰掛けた状態で、手を延ばして湯温等の制御や表示パネルを確認できるから、一層快適に入浴できる。
なおここで給湯器１０類とは、給湯器１０のほか、風呂釜、シャワー機器、或は浄水、ろ過、泡噴出等の温水機器を意味し、又操作部１８とはこれら機器の、運転、停止、湯温、シャワーの噴霧状態等を制御するリモコン装置を意味する。
【００２６】
【発明の実施の形態】
以下、本発明浴室の好適な一実施形態を添付図面に従って説明する。
図１において、１は浴槽であり、１ａはこの浴槽１の短辺部である。２はこの短辺部１ａの側に、この短辺部１ａから洗い場３としての床パンにわたって形成された出窓である。
【００２７】
４は、出窓２を形成するためのカウンターパネルである。このカウンターパネル４は、例えばＦＲＰ（繊維強化プラスチック）で形成され、出窓２の側の建物基礎５の上方に配設されている。６は、この建物基礎５の上面に配設された大引である。なお７は出窓２を構成する窓枠であり、８は壁材である。又この実施形態の場合、浴室の床面積は、０．７５坪に選定されている。
【００２８】
上記の浴槽１は、出窓２側の一方の短辺部１ａのみに、腰掛け用のベンチ部１ｂが短辺部１ａの幅方向にわたって浴槽１内に凹まれて形成されている。
【００２９】
又上記のカウンターパネル４は、浴槽１の短辺部１ａと対応する位置に、浴槽１のベンチ部１ｂと係合する凹段差部４ａが形成されている。又このカウンターパネル４は、洗い場３と対応する浴室内位置に、上記の凹段差部４ａから連ねられてエプロン４ｂが形成されている。そして本発明の浴室は、上記の浴槽１が上記カウンターパネル４の凹段差部４ａに、ベンチ部１ｂを係合させて配設されている。
【００３０】
９（図２、図３参照）は、カウンターパネル４の上面に加わる荷重を支承するための、高さ調節自在の支承部材である。この支承部材９は、カウンターパネル４の下面に取り付けられる断面ハット形の鋼材９ａと、この鋼材９ａに上端がナット９ｂで締着され、下端が建物基礎５の大引６に固定されたボルト状の支柱９ｃとを備えて形成されている。
【００３１】
なおこの実施形態では、図１１に示されるように、カウンターパネル４の凹段差部４ａの垂直壁に、給湯追い焚き用配管１９（図１２参照）の接続部２０が設けられ、この接続部２０を介して図１２に示されるように、浴槽１の循環金具１ｃに上記の配管１９が接続されている。
【００３２】
又この実施形態の場合は、図１３に示されるように、洗い場３の裏側にあたるカウンターパネル４の下方に給湯器１０が配設されている。なお同図において、１１は二十四時間風呂ユニットや泡発生装置等の浴槽関連機器である。このように各機器が配設される場合は、給湯器１０は洗い場３に近く、浴槽関連機器１１は浴槽１に近くなり、従って配管が短く済み、施工が簡単になる。
【００３３】
而して本発明の浴室を構築する場合は、例えば洗い場３を形成する床パンにカウンターパネル４を取り付け、次にこのパネル４の周辺部に窓枠７を配設する。又施工者は、浴槽１を、カウンターパネル４の凹段差部４ａにベンチ部１ｂを係合させて配設する。
【００３４】
【発明の効果】
以上説明したように本発明の浴室は、浴槽の出窓側の一方の短辺部のみに腰掛け用のベンチ部を短辺部の幅方向にわたって浴槽内に凹ませて形成し、浴槽の上記の短辺部と対応するカウンターパネルの位置に、浴槽のベンチ部と係合する凹段差部を形成し、この凹段差部の垂直壁に給湯追い焚き用配管の接続部を設け、また洗い場と対応するカウンターパネルの浴室内位置に、上記の凹段差部から連ねてエプロンを形成し、上記の浴槽を、カウンターパネルの凹段差部に、ベンチ部を、凹段差部との間にスペースを有する状態で係合させて配設し、この浴槽の循環金具に、給湯追い焚き用配管を上記の接続部を介して接続しているものである。
【００３５】
従って本発明浴室の場合は、建物基礎を壊すことなくこの基礎の範囲内で、洗い場だけではなく、浴槽自体の大型化を実質的に図ることができ、出窓側の建物基礎を越えた、この建物基礎に制約を受けない、長い大きな浴槽を設置できる、という効果がある。
【図面の簡単な説明】
【図１】本発明浴室の好適な一実施形態を示す分解斜視図である。
【図２】同上浴室の要部分解斜視図である。
【図３】カウンターパネル取付け状態の側面から見た要部断面図である。
【図４】同上浴室の平面図である。
【図５】スカート部材を備えた同上浴室の他の実施形態を示す要部断面図である。
【図６】図５の実施形態の一部を切欠した平面図である。
【図７】カウンターパネルの他の実施形態を示す要部斜視図である。
【図８】図７の実施形態の要部断面図である。
【図９】カウンターパネルの更に他の実施形態を示す要部斜視図である。
【図１０】図９のＸーＸ線における要部断面図である。
【図１１】カウンターパネルの凹段差部に給湯追い焚き用配管の接続部を設けた状態を示す要部斜視図である。
【図１２】図１１のＸＩＩーＸＩＩ線における要部断面図である。
【図１３】給湯器等の配設状態を示す同上浴室の屋外から見た斜視図である。
【符号の説明】
１    浴槽
１ａ  短辺部
１ｂ  ベンチ部
２    出窓
３    洗い場
４    カウンターパネル
４ａ  凹段差部
４ｂ  エプロン
５    建物基礎
【図１】
0003606028.tif 000002
【図２】
0003606028.tif 000003
【図３】
0003606028.tif 000004
【図４】
0003606028.tif 000005
【図５】
0003606028.tif 000006
【図６】
0003606028.tif 000007
【図７】
0003606028.tif 000008
【図８】
0003606028.tif 000009
【図９】
0003606028.tif 000010
【図１０】
0003606028.tif 000011
【図１１】
0003606028.tif 000012
【図１２】
0003606028.tif 000013
【図１３】
0003606028.tif 000014